(57)【要約】【課題】複数の波長を利用する光ネットワークシステムの再構築を容易にする。【解決手段】光モジュール１を、光導波路を有する導波路ユニット２と、導波路ユニット２と着脱可能であってフィルタを有するフィルタユニット３とにより構成する。そして、この導波路ユニット２とフィルタユニット３とが着脱可能な光モジュール１を、光ネットワークシステムに組み込む。この際、アッド／ドロップする光波の波長のみ透過させるフィルタ７を有するフィルタユニット３を利用する。【選択図】　　　　図１
2004053869.tif 000002
【特許請求の範囲】
【請求項１】
複数の波長の光波を利用した端末数の増減が容易な光ネットワークシステムにおいて、
光ファイバと、該光ファイバを伝送している光波の中から予め定められた１又は複数の波長の光波を取り出し、及び／又は、前記光ファイバに前記予め定められた１又は複数の波長の光波を挿入する１又は複数の光モジュールとを備え、
前記光モジュールは、前記光ファイバに接続された第１光導波路、及び該第１光導波路にある空間を隔てて存在する第２光導波路を有する導波路ユニットと、該導波路ユニットに着脱自在に嵌合されるものであって、嵌合時に前記ある空間に挿入されるフィルタを有するフィルタユニットとを備えたことを特徴とする端末数の増減が容易な光ネットワークシステム。
【請求項２】
光ネットワークシステムの構築時に、前記複数の波長の光波の全てを反射するフィルタを有する前記フィルタユニットを、前記導波路ユニットに着脱自在に嵌合させることを特徴とする請求項１に記載の端末数の増減が容易な光ネットワークシステム。
【請求項３】
端末が接続されていない光モジュールにおいては、前記複数の波長の光波の全てを反射するフィルタを有する前記フィルタユニットを、前記導波路ユニットに着脱自在に嵌合させることを特徴とする請求項１に記載の端末数の増減が容易な光ネットワークシステム。
【発明の詳細な説明】
【０００１】
【発明の属する技術分野】
本発明は、波長分割多重方式を利用した端末数の増減が容易な光ネットワークシステムに関する。
【０００２】
【従来の技術】
次世代インターネットのバックボーン回線などへの応用が期待される、広帯域の光ネットワーク技術である、波長分割多重（Ｗａｖｅｌｅｎｇｔｈ　Ｄｉｖｉｓｉｏｎ　Ｍｕｌｔｉｐｌｅｘ：ＷＤＭ）技術に関する開発が活発に行われるようになってきている。このＷＤＭでは、１本の光ファイバに異なる波長の光を通して光信号を多重化することで、大容量のデータを双方向に伝送することが可能になる。さらに、波長数を増やしたり、波長間隔を狭めたりすることでさらに大容量のデータ伝送を可能にする高密度ＷＤＭ（Ｄｅｎｓｅ　ＷＤＭ：ＤＷＤＭ）技術に関する研究開発も行われている。ＷＤＭ方式やＤＷＤＭ方式では、１本の光ファイバ中を伝送している複数の波長から１つの波長を取り出し／挿入することが可能になり、伝送路の有効活用が図られる。
【０００３】
そして、特定のノードで特定の波長の光信号を取り出し／挿入する（１本の光ファイバ中を伝送している複数の波長から１つの波長を取り出し／挿入する）ことを実現するために、波長選択フィルタを利用した光アッドドロップ多重（Ｏｐｔｉｃａｌ　Ａｄｄ　Ｄｒｏｐ　Ｍｕｌｔｉｐｌｅｘ：ＯＡＤＭ）素子などが提案されている。例えば、波長フィルタを利用したＯＡＤＭ素子として、特開平１１−１０９１４９号公報に開示されたものがある。
【０００４】
【発明が解決しようとする課題】
ところが、上記特開平１１−１０９１４９号公報に開示されたＯＡＤＭ素子では、光導波路が配置されることになる導波路基板に波長選択フィルタを接着固定させるものであった。このため、このようなＯＡＤＭ素子を利用して光ネットワークシステムを構築した後に光ネットワークシステムに接続される端末の増減を行うためにＯＡＤＭ素子を付加／削除する場合、アッド／ドロップする波長を変更するためにＯＡＤＭ素子を交換する場合など、ＯＡＤＭ素子自体を交換せざるを得ず、光ファイバの切断及び接続などが必要になる。この光ファイバの切断及び接続は、一般ユーザ（光ファイバの接続などを行う専門の業者以外）にとって難しいものであり、光ネットワークシステムの再構築に適したものとなっていなかった。
【０００５】
そこで、本発明は、光ネットワークシステムの再構築が容易な光ネットワークシステムを提供することを目的とする。
【０００６】
【課題を解決するための手段】
請求項１に記載の端末数の増減が容易な光ネットワークシステムは、複数の波長の光波を利用した端末数の増減が容易な光ネットワークシステムにおいて、光ファイバと、該光ファイバを伝送している光波の中から予め定められた１又は複数の波長の光波を取り出し、及び／又は、前記光ファイバに前記予め定められた１又は複数の波長の光波を挿入する１又は複数の光モジュールとを備え、前記光モジュールは、前記光ファイバに接続された第１光導波路、及び該第１光導波路にある空間を隔てて存在する第２光導波路を有する導波路ユニットと、該導波路ユニットに着脱自在に嵌合されるものであって、嵌合時に前記ある空間に挿入されるフィルタを有するフィルタユニットとを備えたことを特徴とする。
【０００７】
請求項１によると、導波路ユニットとフィルタユニットとが着脱可能な光モジュールを光ネットワークシステムに使用しているため、アッド／ドロップする光波の波長を変更する場合、アッド／ドロップする光波の波長に対応したフィルタを有するフィルタユニットを導波路ユニットに嵌合させれば足り、光ネットワークシステムの再構築などが容易になる。
【０００８】
請求項２に記載の端末数の増減が容易な光ネットワークシステムは、光ネットワークシステムの構築時に、前記複数の波長の光波の全てを反射するフィルタを有する前記フィルタユニットを、前記導波路ユニットに着脱自在に嵌合させることを特徴とする。請求項２によると、光ネットワークシステムの構築後に新たに端末を増やす場合、その端末用の波長をアッド／ドロップすることを可能にするフィルタを有するフィルタユニットを導波路ユニットに嵌合させれば足り、光ネットワークシステムに接続される端末を容易に増加させることができる。ここで、端末とは、パソコンや電話機など当該ネットワークを利用して通信を行う端末を意味する。
【０００９】
請求項３に記載の端末数の増減が容易な光ネットワークシステムは、端末が接続されていない光モジュールにおいては、前記複数の波長の光波の全てを反射するフィルタを有する前記フィルタユニットを、前記導波路ユニットに着脱自在に嵌合させることを特徴とする。請求項３によると、端末が接続されていない光モジュールに端末を接続する場合、その端末に割り当てられた波長をアッド／ドロップすることを可能にするフィルタを有するフィルタユニットを導波路ユニットに嵌合させれば足り、端末を容易に追加することができる。
【００１０】
【発明の実施の形態】
以下、本発明の実施の形態に係る光ネットワークシステムについて図面を参照しつつ説明する。
【００１１】
まず、光ネットワークシステムに用いる光モジュールについて図１〜図６を参照しつつ説明する。図１に嵌合前の光モジュールの断面図を示すように、光モジュール１は、導波路ユニット２と、この導波路ユニット２に着脱可能に嵌合するフィルタユニット３とを備えている。
【００１２】
導波路ユニット２は、図１の断面図、及び図２の斜視図に示すように、導波部５がハウジング４に組み込まれることによって造られるものである。ハウジング４では、外周面が略四角の有底角筒体である本体部１１に導波部５を収容するための略直方体状の凹部１３が設けられている。そして、本体部１１の１つの側面１１ａには折り返し部１２が設けられている。この折り返し部１２には突起部（ロック部）１２ａが取り付けられており、この突起部１２ａは、導波路ユニット２とフィルタユニット３との嵌合時にフィルタユニット３の後述する開口部３３に挿入される。これにより、導波路ユニット２とフィルタユニット３とが勝手に外れることが防がれる。さらに、本体部１１の側面１１ａに隣接する１つの側面１１ｂにおける、その底部がある反対側の端部には、２つの切り欠き１４ａ、１４ｂが設けられている。また、本体部１１の側面１１ａに隣接するもう１つの側面１１ｃにおいても同様に、その底部がある反対側の端部に２つの切り欠き１５ａ、１５ｂが設けられている。これらの切り欠き１４ａ、１４ｂ、１５ａ、１５ｂの夫々は、導波路ユニット２とフィルタユニット３とが嵌合した時に後述する光導波路２４ｂ、２４ａ、２３ａ、２３ｂにつなげられることになる光ファイバなどを光モジュール１の外部へ出すことを可能にするためのものである。
【００１３】
ハウジング４に収容される導波部５は、ハウジング４に設けられた凹部１３の外周面と略同じ形状・寸法をした外周を持つ略直方体をした基板２１を備えている。この構造を図３（ａ）の斜視図に示す。この基板２１上に光導波路が形成されるクラッド層２２が形成されている。このクラッド層２２は、石英などの無機材料、或いは、プラスチックなどの有機材料で作成可能である。
【００１４】
クラッド層２２には、その１つの側面２６ａからそれに対向する側面２６ｂにわたって直方体状をした挿入溝２５が形成されているとともに、４本の光導波路２３ａ、２３ｂ、２４ａ、２４ｂが形成されている。この４本の光導波路２３ａ、２３ｂ、２４ａ、２４ｂの形成は、前記クラッド層２２に屈折率を少し大きくした光路を作成する公知の技術で可能である。
【００１５】
クラッド層２２に形成された挿入溝２５は、図５に概略を示すように、導波路ユニット２とフィルタユニット３とが嵌合する時に、フィルタユニット３の後述するフィルタ７が挿入される部分である。従って、通常、この挿入溝２５の幅は、フィルタ７の厚さよりも広く形成され、例えば、厚さが１５μｍ程度のフィルタ７に対して挿入溝２５の幅は２５μｍ程度となるように形成される。
【００１６】
図３（ａ）の斜視図及び図３（ｂ）の上面図（基板２１を図示していない）に示すように、光導波路２３ａは、クラッド層２２の側面２６ａに隣接する１つの側面２７ａから挿入溝２５の１つの内壁面２８ａにわたって存在する。また、光導波路２３ｂは、挿入溝２５に対して光導波路２３ａと同じ側に存在し、側面２７ａから挿入溝２５の内壁面２８ａにわたって存在する。これらの光導波路２３ａ、２３ｂは、図３（ｂ）に示すように、夫々、角度θ１、θ２をもって挿入溝２５に交わっている。ここで、光導波路２３ａまたは光導波路２３ｂを伝播している光波がフィルタ７によって反射されて光導波路２３ｂまたは光導波路２３ａへ入射される際の損失を小さくするため、角度θ１、角度θ２、フィルタ７の厚さ、及び溝２５の幅、並びに、夫々の相互位置関係からこれらの値は適切に定められる。
【００１７】
図３に示すように、光導波路２４ａは、クラッド層２２の側面２６ａに隣接するもう１つの側面（側面２７ａに対向する側面）２７ｂから挿入溝２５のもう１つの内壁面（内壁面２８ａに対向する内壁面）２８ｂにわたって存在する。また、光導波路２４ｂは、挿入溝２５に対して光導波路２４ａと同じ側に存在し、側面２７ｂから挿入溝２５の内壁面２８ｂにわたって存在する。これらの光導波路２４ａ、２４ｂは、図３（ｂ）に示すように、夫々、角度θ３、θ４をもって挿入溝２５に交わっている。ここで、光導波路２４ａまたは光導波路２４ｂを伝播している光波がフィルタ７によって反射されて光導波路２４ｂまたは光導波路２４ａへ入射される際の損失を小さくするため、角度θ３、角度θ４、フィルタ７の厚さ、及び溝２５の幅、並びに、夫々の相互位置関係からこれらの値は適切に定められる。
【００１８】
また、光導波路２３ａの中心線と光導波路２４ａの中心線とが略同一線上にあり、光導波路２３ｂの中心線と光導波路２４ｂの中心線とが略同一線上にある。さらに、光導波路２３ａ、２３ｂ、２４ａ、２４ｂの夫々の導波路幅は略等しい。さらに、光導波路２３ａと光導波路２４ａとを結ぶ線と、光導波路２３ｂと光導波路２４ｂとを結ぶ線とは挿入溝２５上で交わる。
【００１９】
クラッド層２２の側面２７ａ上にある光導波路２３ａ、２３ｂの端面で不図示の光ファイバなどが接続され、また、クラッド層２２の側面２７ｂ上にある光導波路２４ａ、２４ｂの端面で不図示の光ファイバなどが接続される。光導波路２３ａ、２３ｂ、２４ａ、２４ｂに接続された光ファイバなどは、夫々、切り欠き１５ａ、１５ｂ、１４ｂ、１４ａから外部へ出る。
【００２０】
フィルタユニット３は、図１の断面図及び図４の斜視図に示すように、ハウジング６と、ハウジング６内に配置されたフィルタ７とを備えている。図４に示すように、ハウジング７では、外周面が略四角の有底角筒体である本体部３１にパッケージ７及び導波路ユニット２を収容するための略直方体状の凹部３２が設けられている。この凹部３２は、導波路ユニット２とフィルタユニット３とが嵌合した時に導波路ユニット２とフィルタユニット３とががたつかないような寸法で形成されている。そして、本体部３１の１つの側面３１ａには導波路ユニット２とフィルタユニット３とが嵌合した時に導波路ユニット２の突起部１２ａが挿入される略四角をした開口部３３が設けられている。
【００２１】
さらに、本体部３１の側面３１ａに隣接する１つの側面３１ｂにおける、その底部がある反対側の端部に２つの切り欠き３４ａ、３４ｂが設けられている。また、本体部３１の側面３１ａに隣接するもう１つの側面３１ｃにおいても同様、その底部がある反対側の端部に２つの切り欠き３５ａ、３５ｂが設けられている。これらの切り欠き３４ａ、３４ｂ、３５ａ、３５ｂの夫々の一部は、導波路ユニット２とフィルタユニット３とが嵌合した時に導波路ユニット２のハウジング４の本体部１１に設けられた切り欠き１５ａ、１５ｂ、１４ａ、１４ｂと重なり合う。導波路ユニット２とフィルタユニット３とが嵌合した時の夫々の切り欠きが重なり合った部分（開口部）から、光導波路２３ａ、２３ｂ、２４ａ、２４ｂに接続された光ファイバなどが光モジュール１の外部へ出る。
【００２２】
フィルタ７は、基板に複数枚の誘電体膜が重なり合うようにして形成される誘電体多層膜フィルタを使用することができる。導波路ユニット２とフィルタユニット３との嵌合時に、図５に示すように、フィルタ７の一部が導波路ユニット２の導波部５のクラッド層２２に形成された挿入溝２５に挿入される。フィルタ７が挿入溝２５に挿入されるため、光導波路２３ａ、２３ｂ、２４ａ、２４ｂを伝播している光波は、フィルタ７に達してフィルタ７を透過し、或いは、フィルタ７によって反射される。但し、誘電体膜を適宜選択することによってフィルタ７を透過する１又は複数の光波の波長とフィルタ７を反射する１又は複数の光波の波長とを調節することができる。尚、フィルタ７として、誘電体多層膜フィルタ以外のものを利用するようにしてもよい。
【００２３】
動波路ユニット２にフィルタユニット３を取り付ける際、導波路ユニット２の突起部１２ａとフィルタユニット３の開口部３３とを同じ側にして、導波路ユニット２がフィルタユニット３の凹部３２に挿入されるようにフィルタユニット３を導波路ユニット２に取り付ける。この時、導波路ユニット２の突起部１２ａがフィルタユニット３の開口部３３に入って、導波路ユニット２がフィルタユニット３に固定される。一方、導波路ユニット２からフィルタユニット３を取り外す際、導波路ユニット２の折り返し部１２を本体部１１の方向に押しながらフィルタユニット３を導波路ユニット２のある方向と反対方向に引き抜く。これによって、フィルタユニット３を導波路ユニット２から取り外すことができる。
【００２４】
上述した構造を有する導波路ユニット２とフィルタユニット３との嵌合時、光モジュール１はＯＡＤＭ素子としての作用を有する。この光モジュール１による光波のアッド／ドロップについて図６を参照しつつ説明する。図６は、光モジュールによる光波のアッド／ドロップを説明するための図である。ここでは、４つの波長λ１、λ２、λ３、λ４の光波が用いられ、フィルタ７を形成する誘電体膜を適宜選択することによって、フィルタ７が波長λ２の光波を透過させ、波長λ１、λ３、λ４の光波を反射させる場合を例に挙げて説明する。
【００２５】
例えば、図６（ａ）に示されるように、光モジュール１外から波長λ１、λ２、λ３、λ４の光波が光導波路２３ａに入射されると、光波は光導波路２３ａを伝播する。この光導波路２３ａを伝播している光波のうち波長λ１、λ３、λ４の光波は、図６（ａ）に示されるように、フィルタ７によって反射されて光導波路２３ｂに入射され、光導波路２３ｂを伝播して光モジュール１外へ出力される。一方、光導波路２３ａを伝播している光波のうち波長λ２の光波は、図６（ｂ）に示されるように、フィルタ７を透過して、光導波路２４ａに入射され、光導波路２４ａを伝播して光モジュール１外へ出力される。
【００２６】
図６（ｂ）に示されるように、光モジュール１外から波長λ２の光波が光導波路２４ｂに入射されると、波長λ２の光波は光導波路２４ｂを伝播する。この光導波路２４ｂを伝播している波長λ２の光波は、図６（ｂ）に示されるように、フィルタ７を透過して、光導波路２３ｂに入射され、光導波路２３ｂを伝播して光モジュール１外へ出力される。以上のように、上記の例では、光モジュール１は波長λ２の光波をドロップし、波長λ２の光波をアッドする光ＯＡＤＭ素子としての機能を有する。光モジュール１は、波長λ２の光波をアッドするアッド素子として使用でき、波長λ２の光波をドロップするドロップ素子として使用できる。
【００２７】
ここで、フィルタ７を形成する誘電体膜を適宜選択することによって、波長λ１の光波を透過させ、波長λ２、λ３、λ４の光波を反射させるようなフィルタ７を造って、これをフィルタユニット３に利用すれば、波長λ１の光波をドロップし、波長λ１の光波をアッドする光モジュール１を実現することができる。尚、波長λ３、λ４に関しても同様である。
【００２８】
また、フィルタ７に用いる誘電体膜を適宜選択することによって、波長λ１、λ２、λ３、λ４の全ての光波を反射させるようなフィルタ７を造って、これをフィルタユニット３に利用すれば、全ての波長を反射する（全反射型の）光モジュール１を実現することができる。つまり、この光モジュール１では、光モジュール１外から波長λ１、λ２、λ３、λ４の光波が光導波路２３ａに入射されると、光波は光導波路２３ａを伝播する。この光導波路２３ａを伝播している全ての波長λ１、λ２、λ３、λ４の光波は、フィルタ７によって反射されて光導波路２３ｂに入射され、光導波路２３ｂを伝播して光モジュール１外へ出力されることになる。
【００２９】
次に、上述した構造を有する光モジュールを利用した光ネットワークシステムについて図７を参照しつつ説明する。図７は、光ネットワークシステムのシステム構成を示す構成図である。
【００３０】
光ネットワークシステム６０は、コントローラ５９と、光ファイバ６１と、該光ファイバに接続された上述した構造を有する複数の光モジュール１（１ａ、１ｂ、…）と、コネクタ６２、６３とを備えている。
【００３１】
コントローラ５９は、送信元の端末から、この端末が接続されている光モジュール１がアッド／ドロップする波長の光信号を光ファイバ６１を介して受け取る。コントローラ５９は、受け取った光信号に含まれる送信先アドレスに基づいて送信先の端末を特定する。コントローラ５９は、受け取った光信号を、送信先の端末が接続されている光モジュール１がアッド／ドロップする波長の光信号に変換して光ファイバ６１へ出力する。
【００３２】
光モジュール１ａ、１ｂ、…は、互いにアッド／ドロップする波長が異なっている。光モジュール１（１ａ、１ｂ、…）の光導波路２３ａ、２３ｂは、夫々、光ファイバ６１に直接接続されている。また、コネクタ６２、６３は、夫々、端末を光モジュール１の光導波路２４ｂ、２４ａに接続するためのコネクタである。尚、図中矢印が光波の伝播する方向である。
【００３３】
光ネットワークシステムの構築時には、例えば、光ネットワークシステム６０に使用される全ての波長の光波を反射するフィルタ７を有するフィルタユニット３を、導波路ユニット２に取り付ける。そして、光モジュール１に端末６４を接続するときに、ユーザは、現在導波路ユニット２に取り付けている全反射型のフィルタユニット３を取り外し、端末６４用に割り当てられた波長の光波のみ透過させるフィルタ７を有するフィルタユニット３を導波路ユニット２に取り付ける。また、光モジュール１に接続された端末６４を取り除くとき、ユーザは、現在導波路ユニット２に取り付けているフィルタユニット３を取り外し、光ネットワークシステム６０で使用する全ての波長の光波を反射するフィルタ７を有するフィルタユニット３を導波路ユニット２に取り付ける。また、光モジュール１がアッド／ドロップする波長を変更する場合、ユーザは、現在導波路ユニット２に取り付けているフィルタユニット３を取り外し、新たにアッド／ドロップする波長の光波のみ透過させるフィルタ７を有するフィルタユニット３を導波路ユニット２に取り付ける。
【００３４】
この光ネットワークシステム６０の光波の伝播の概略を示す。光ファイバ６１を伝播している光波がフィルタ７によって反射される波長の光波である場合、光ファイバ６１を伝播している光波は、光ファイバ６１、光モジュール１の光導波路２３ａ、光導波路２３ｂ、光ファイバ６１の順に伝播する。また、光ファイバ６１を伝播している光波がフィルタ７１を透過する波長の光波である場合、光ファイバ６１を伝播している光波は、光ファイバ６１、光モジュール１の光導波路２３ａ、光導波路２４ａ、コネクタ６３、端末６４の順に伝播する。端末６４から光ファイバ６１に光波をアッドする場合、フィルタ７を透過する波長の光波は、端末６４、コネクタ６２、光導波路２４ｂ、光導波路２３ｂ、光ファイバ６１の順に伝播する。
【００３５】
また、光モジュール１のフィルタ７として光ファイバ６１を伝播している全ての波長の光波を反射するようなものを選択すれば、光ファイバ６１を伝送しているあらゆる波長の光波は、光ファイバ６１、光モジュール１の光導波路２３ａ、光導波路２３ｂ、光ファイバ６１の順に伝送する。
【００３６】
上述したように、光ネットワークシステム６０においては、光導波路２３ａ、２３ｂ、２４ａ、２４ｂを備えた導波路ユニット２と、フィルタ７を備えたフィルタユニット３とが着脱可能な構造を有する光モジュール１を利用している。このため、アッド／ドロップする光波の波長を変更する場合、ソケット２に取り付けられているフィルタユニット３を導波路ユニット２から取り外して、新たにアッド／ドロップする光波の波長のみ透過させるようなフィルタ７を有するフィルタユニット３を導波路ユニット２に取り付ければ足り、光ネットワークシステムの再構築などが容易になる。この際、光ファイバ６１と導波路ユニット２の光導波路２３ａ、２３ｂとを接続したままで、コネクタ６２、６３と導波路ユニット２の光導波路２４ｂ、２４ａとを接続したままでよいので、光ファイバ６１の切断や接続などの複雑な作業を要しない。
【００３７】
また、光ネットワークシステム６０の構築時に、使用される全ての波長の光波を反射するフィルタ７を有するフィルタユニット３を光モジュール１に利用して、光ネットワークシステム６０に組み込む。こうすることによって、すぐには端末を接続する予定のない光モジュールも光ネットワークシステムに組み込むことが可能になり、端末の増設が容易になる。また、構築後に端末を接続する場合、導波路ユニット２に取り付けられている全反射型のフィルタユニット３を導波路ユニット２から取り外して、アッド／ドロップする光波の波長のみ透過させるようなフィルタ７を有するフィルタユニット３を導波路ユニット２に取り付ければ足り、端末を増設する作業を容易に行うことができる。
【００３８】
また、端末が接続された光モジュール１において接続された端末を取り外す場合、導波路ユニット２に取り付けられているフィルタユニット３を取り外して使用される全ての波長の光波を反射するフィルタ７を有するフィルタユニット３を導波路ユニット２に取り付ければ足り、端末の取り外しを容易に行うことができる。また、端末を取り外した後に再度端末を取り付ける場合、導波路ユニット２に取り付けられている全反射型のフィルタユニット３を導波路ユニット２から取り外して、新たにアッド／ドロップする光波の波長のみ透過させるようなフィルタ７を有するフィルタユニット３を導波路ユニット２に取り付ければ足り、端末を容易に増やすことができる。このように、光ネットワークシステムは、端末数の増減を容易に行うことができるシステムになっている。
【００３９】
以上本発明の好適な実施の形態について説明したが、本発明は上述の実施の形態に限られるものではなく、特許請求の範囲に記載した限りにおいて様々な設計変更が可能なものである。光ネットワークシステムに使用する光モジュールとして、光導波路（１又は複数の第１光導波路、１又は複数の第２光導波路）を備えた導波路ユニットと、所望の波長のみを透過させるようなフィルタを備えたフィルタユニットとを夫々別部品で造られた光モジュールであればよい。また、光導波路２４ａ、２４ｂの何れかのみにして、光アッドモジュールや光ドロップモジュールを造ることができる。また、光ネットワークシステムに使用する光モジュールとして、複数の波長をアッド／ドロップすることができるようなフィルタを有する光モジュールであってもよい。
【００４０】
光アッドドロップ素子として、光アッド素子として、光ドロップ素子として使用可能な光モジュールを作ることができるので、光アッドドロップ素子としての役割を果たす光モジュールのみ、光ドロップ素子としての役割を果たす光モジュールのみ、光アッド素子としての役割を果たす光モジュールのみで光ネットワークシステムを構成してもよい。また、光アッドドロップ素子としての役割を果たす光モジュールと光ドロップ素子としての役割を果たす光モジュールとを混在させて光ネットワークシステムを構成してもよい。また、光アッドドロップ素子としての役割を果たす光モジュールと光アッド素子としての役割を果たす光モジュールとを混在させて光ネットワークシステムを構成してもよい。また、光アッド素子としての役割を果たす光モジュールと光ドロップ素子としての役割を果たす光モジュールとを混在させて光ネットワークシステムを構成してもよい。さらに、光アッドドロップ素子としての役割を果たす光モジュールと光ドロップ素子としての役割を果たす光モジュールと光アッド素子としての役割を果たす光モジュールとを混在させて光ネットワークシステムを構成してもよい。ここで、光アッドドロップ素子としての光モジュールに接続する端末としては、例えば、コンピュータやカラオケ装置などが考えられる。光ドロップ素子としての光モジュールに接続する端末としては、例えばテレビやラジオなどが考えられる。光アッド素子としての光モジュールに接続する端末として、例えば、カメラやセンサなどが考えられる。
【００４１】
【発明の効果】
請求項１によると、導波路ユニットとフィルタユニットとが着脱可能な光モジュールを光ネットワークシステムに使用しているため、アッド／ドロップする光波の波長を変更する場合、アッド／ドロップする光波の波長に対応したフィルタを有するフィルタユニットを導波路ユニットに嵌合させれば足り、光ネットワークシステムの再構築などが容易になる。
【００４２】
請求項２によると、光ネットワークシステムの構築後に新たに端末を増やす場合、その端末用の波長をアッド／ドロップすることを可能にするフィルタを有するフィルタユニットを導波路ユニットに嵌合させれば足り、光ネットワークシステムに接続される端末を容易に増加させることができる。
【００４３】
請求項３によると、端末が接続されていない光モジュールに端末を接続する場合、その端末に割り当てられた波長をアッド／ドロップすることを可能にするフィルタを有するフィルタユニットを導波路ユニットに嵌合させれば足り、端末を容易に追加することができる。
【図面の簡単な説明】
【図１】実施の形態に係る光ネットワークシステムに用いる光モジュールの非嵌合時の断面図である。
【図２】図１に示した光モジュールの導波路ユニットの斜視図である。
【図３】図２に示した導波路ユニットが備える導波部を説明するための図である。
【図４】図１に示した光モジュールのフィルタユニットの斜視図である。
【図５】図２に示した導波路ユニットの導波部と図４に示したフィルタユニットのフィルタの位置関係を示す図である。
【図６】図１に示した光モジュールにおけるアッド／ドロップを説明するための図である。
【図７】光ネットワークシステムの構成を示す構成図である。
【符号の説明】
１　光モジュール
２　導波路ユニット
３　フィルタユニット
７　フィルタ
２３ａ、２３ｂ、２４ａ、２４ｂ　光導波路
２５　挿入溝
６０　光ネットワークシステム
λ１〜λ４　波長
【図１】
2004053869.tif 000003
【図２】
2004053869.tif 000004
【図３】
2004053869.tif 000005
【図４】
2004053869.tif 000006
【図５】
2004053869.tif 000007
【図６】
2004053869.tif 000008
【図７】
2004053869.tif 000009